(57)【要約】【課題】  利用者の日常の行動を自動的に記録し、その記録された行動内容に基づいて利用者が容易に簡易ウェブサイト（ブログ）を作成する。【解決手段】  利用者が携帯通信装置を利用して特定の行為を行った際の自機の位置情報を位置情報取得手段にて取得する。制御手段は、利用者により行われた当該行為を特定し、少なくともその特定された行為と、当該行為が行われた日時及び自機の位置情報の項目から構成されるイベント情報が蓄積されてなるイベント一覧表を記憶手段に記憶する。そして、この制御手段は、利用者の操作に応じて上記イベント一覧表から利用者により選択されたイベント情報を抽出し、その抽出したイベント情報を上記サーバへ送信する。サーバでは、携帯通信装置から送られる情報により構成される簡易ウェブサイトが公開される。【選択図】        図２
2006301884.tif 000002
【特許請求の範囲】
【請求項１】
携帯通信装置からの情報により構成される簡易ウェブサイトが公開されるサーバと通信網を介して通信する通信手段と、
利用者により前記携帯通信装置を利用して特定の行為が行われた際の自機の位置情報を取得する位置情報取得手段と、
少なくとも利用者の行為、その行為が行われた日時及び前記位置情報取得手段で取得された位置情報の項目から構成されるイベント情報が蓄積されてなるイベント一覧表を記憶する記憶手段と、
前記利用者により前記特定の行為が行われた際、その行為を特定し、少なくともその特定した行為と、当該行為が行われた日時及び位置情報を前記記憶手段に記憶させる制御手段とを備え、
前記制御手段は、前記利用者の操作に応じて前記記憶手段に記憶されている前記イベント一覧表から前記利用者により選択されたイベント情報を抽出し、前記通信手段を介しその抽出したイベント情報を前記サーバへ送信する
ことを特徴とする携帯通信装置。
【請求項２】
前記イベント情報内の各項目は、コメント作成時に使用するか否かの設定と、前記コメント作成時に使用する項目から所定形式の情報を抽出するための設定がなされ、
前記制御手段は、前記コメント作成時に使用するように設定された項目を抽出し、前記抽出された項目から前記所定形式の情報を抽出して前記イベント情報に対するコメントを自動生成する
ことを特徴とする請求項１記載の携帯通信装置。
【請求項３】
前記簡易ウェブサイトの表示形式を編集する機能を備え、
前記制御手段は、前記利用者からの指示に応じて、前記簡易ウェブサイトの表示形式を編集する
ことを特徴とする請求項１又は２に記載の携帯通信装置。
【発明の詳細な説明】
【技術分野】
【０００１】
本発明は、携帯通信装置に関し、特にＧＰＳ（Global Positioning System）や電子財布情報機能等を有する携帯電話端末等の携帯通信装置を用いて簡単に簡易ウェブサイトを作成する携帯通信装置に関する。
【背景技術】
【０００２】
現在、インターネット上でいわゆるブログ（blog；weblogの略称）と呼ばれるコミュニケーションツールが普及している。ブログは日記的なウェブサイトの総称であり、１日の行動を記入した日記サイト(著者の行動記録)の他、インターネット上で見つけた面白いニュース記事やウェブサイトへのリンクを張り、そこに著者の評論を書き加えた記事を時系列に配置することができる。
【０００３】
ところで、機器を使用して１日の行動を管理するものとして、携帯電話端末やＰＤＡにＧＰＳ機能を搭載し、位置情報から有用な情報を推定又は検索し、それらの情報を基に行動リストを作成し、この行動リストにより個人の行動を管理する行動管理装置が提案されている（例えば、特許文献１参照。）。
【特許文献１】特開２００３−７６８１８号公報
【発明の開示】
【発明が解決しようとする課題】
【０００４】
例えば日記サイトの公開においては、パーソナルコンピュータ（以下、「ＰＣ」という。）上や携帯電話端末等で編集、アップロードするという手段が一段に用いられる。例えば携帯電話端末を使用することによって外出先から即時にブログの更新が行える。しかし、何か出来事がある度に逐一ブログを更新するのが面倒であったり、後で更新しようと思ってもそのままになってしまい出来事を更新できなかったりすることがある。また、毎日更新したいと考えていても、書くべき内容がなかなか見当たらない場合もある。さらには、ブログの形式を変更するには、ブログを作成した後にアップロード先のウェブサーバ上で行わなければならないという煩わしさがあった。
【０００５】
本発明は斯かる点に鑑みてなされたものであり、利用者の日常の行動を自動的に記録し、その記録された行動内容に基づいて利用者が容易に簡易ウェブサイト（ブログ）を作成できる携帯通信装置を提供することを目的とする。
【課題を解決するための手段】
【０００６】
上記課題を解決するため、本発明は、携帯通信装置からの情報により構成される簡易ウェブサイトが公開されるサーバと通信網を介して通信する通信手段と、利用者により携帯通信装置を利用して特定の行為が行われた際の自機の位置情報を取得する位置情報取得手段と、少なくとも利用者の行為、その行為が行われた日時及び位置情報取得手段で取得された位置情報の項目から構成されるイベント情報が蓄積されてなるイベント一覧表を記憶する記憶手段と、利用者により上記特定の行為が行われた際、その行為を特定し、少なくともその特定した行為と、当該行為が行われた日時及び位置情報を前記記憶手段に記憶させる制御手段とを備え、この制御手段は、利用者の操作に応じて上記記憶手段に記憶されているイベント一覧表から利用者により選択されたイベント情報を抽出し、上記通信手段を介しその抽出したイベント情報を上記サーバへ送信する構成とする。
上記簡易ウェブサイトとして例えばブログなどが適用される。
【０００７】
上述の構成によれば、利用者により行われる特定行為を、イベント情報として自動的に記録して蓄積することができ、その蓄積されたイベント情報の中から所望のイベント情報を選択し、簡単に簡易ウェブログを作成することができる。
【発明の効果】
【０００８】
本発明によれば、利用者の一日の行動内容を自動的にイベント情報として記録することにより、その日の出来事や行動を容易に思い出すことができるという効果がある。また、携帯通信装置側でイベント情報を簡単に選択・編集できることにより、ブログなどの簡易ウェブサイトを簡単に作成することができるという効果がある。
【発明を実施するための最良の形態】
【０００９】
以下本発明を実施するための最良の形態の例を説明するが、本発明は以下の例に限定されるものではない。
まず、本発明の一実施の形態例について、図１を参照して説明する。
図１は、本発明が適用される通信システム及び通信システムに接続された携帯通信装置の概略ブロック構成図を示す。図１において、携帯通信装置２００は、基地局３１０を介して携帯電話網３００と接続され、さらに携帯電話網３００より公衆通信回線であるインターネット４００を経由してサーバ５００と接続される。サーバ５００はブログを始めとする様々なウェブサイトを提供するウェブサーバとして機能する。携帯通信装置２００としては、例えば携帯電話端末が使用できる。本例において、以降ブログを「簡易ウェブサイト」と称する。
【００１０】
携帯通信装置２００は、携帯電話通信用のアンテナ２０１を備え、アンテナ２０１が通信手段として機能する、携帯電話通信用の通信回路２０２に接続してあり、制御部（制御手段）２１０の制御で、携帯電話網３００の基地局３１０と電波を送受信する。通信回路２０２は基地局３１０とやり取りする電波を変復調する。この通信回路２０２で通話用の通信を行う際には、受信した音声データをスピーカ２０４により電気信号から音声に変換して出力させ、またマイクロフォン（マイク）２０３が拾った音声を電気信号に変換した音声データを通信回路２０２に供給して基地局へ送信させる。
【００１１】
また携帯通信装置２００は、ジョグダイアルやキーパッドなどで構成された操作部２０６、液晶ディスプレイなどで構成された表示部２０７を備える。操作部２０６は、電話番号やメール文などの入力操作や、各種モードの設定操作などが行える。表示部２０７には、メール文、ウェブサーバにアクセスしてダウンロードした画面などを表示させることができる。
【００１２】
また携帯通信装置２００は、制御部２１０によって行われる各種処理のために必要な一時記憶装置として機能するメモリ２０５を備える。制御部２１０は、ＣＰＵ（Central Processing Unit）等のプロセッサからなり、メモリ２０５を作業領域として、図示しないＲＯＭ（Read Only Memory）に記録されているプログラムに従い、装置全体を制御するとともに、所定のイベント情報記録動作及びアップロード動作を行なう。記憶装置（記憶手段）２０８はフラッシュメモリ等の不揮発性メモリからなり、電話帳やスケージュール、メール、画像、音楽、アプリケーションソフトウェア、ブックマーク、ウェブページ、電子マネー情報、電子定期券、電子チケット、電子スタンプカード情報等、さまざまな情報が格納される。
【００１３】
さらに携帯通信装置２００は、撮像した映像を電気信号に変換するカメラ２２０、記憶装置２０８に格納されている電子マネー情報や電子チケット情報等のやり取りを行なう近距離通信デバイス２３０を備える。この近距離通信デバイス２３０としては、例えばFelica（登録商標）などの非接触型ＩＣカード、あるいは２．４ＧＨｚ帯域を用いるBluetooth（登録商標）などの近距離無線通信などが使用できる。
【００１４】
上記記非接触型ＩＣカードは、図示しないアンテナが接続された課金データ制御部を有し、リーダ・ライタとの間で、数ｃｍ程度の非常に近接した距離での近接無線通信を行う。リーダ・ライタ非接触ＩＣカードと通信を行なうためのアンテナは、例えば携帯通信装置２００の筐体に内蔵させてあり、筐体の表面をリーダ・ライタに接近させることで、双方向の通信が行える。なお、この非接触型ＩＣカードは、携帯通信装置２００に着脱可能な構成としてもよい。
上記近距離通信デバイス２３０は、近距離通信を実行する際、課金や認証に必要なデータを記憶装置２０８から読み出して、リーダ・ライタと近接無線通信でやり取りを行う。例えば、予め利用者が購入したある施設内への入場券（いわゆる電子チケット）の情報、その施設内に入場する際や、商品の購入時などに引き落とすことができるチャージ金額の情報などを、メモリに記憶させてある。なお、近距離通信デバイス２３０で必要なデータの一部については、近距離通信デバイス２３０内のメモリに記憶させるようにしてもよい。
【００１５】
ＧＰＳ受信部２４０は、携帯端末装置２００に付加的にＧＰＳアンテナ２４１を介してＧＰＳ衛星が発する電波を受信して自身の位置情報を知るためものである。携帯電話システムの位置情報付加サービスで送られる位置情報などを携帯通信網３１０より受信して自身の位置を知ることもできる。
【００１６】
制御ライン２５０は、これに接続されている各デバイスを制御するための信号を流すためのラインである。携帯通信装置２００内の所定デバイスは制御ライン２５０を通じて制御部２１０と接続してあり、制御部２１０の制御で各処理が行われる。
データライン２６０は、これに接続されているデバイス間でデータ転送するためのラインである。
【００１７】
携帯通信装置２００は、通信回路２０２及びアンテナ２０１を通じて接続先の基地局の位置情報、または、ＧＰＳアンテナ２４１及びＧＰＳ受信部２４０により得られる位置情報によって、端末自身の現在の地域（エリア）を特定できる。これらは、位置情報取得手段として機能する。また電子チケットや電子切符などを使用することによっても駅情報や店舗情報などが得られ、これらも同様に位置情報取得手段として機能する。
また、記憶装置２０８に記録された電子マネーや電子チケット等の情報は、近距離通信デバイス２３０を通じてやり取りする他に、携帯電話網を用いてやり取りすることもできる。
【００１８】
次に、上記構成の携帯通信装置の動作について説明する。動作は「イベント情報の記録時の動作」と「アップロード時の動作」からなる。ここで、イベント情報とは、利用者の行動に関する情報であり、少なくとも利用者の行為とその行為が行われた日時の情報から形成される。
【００１９】
始めに、「イベント情報の記録時の動作」を説明する。
イベント情報は、電子マネー、電子定期券、電子切符、電子チケット等を使用したときや、カメラで撮影したとき、通話やメールの送受信を行ったときに記憶装置２０８にその内容が記憶される。それ以外の場合にも何らかの利用者のアクション（行為もしくは行動など）をトリガとして記録するようにしてもよい。このとき記憶装置２０８に記憶される内容は、図２に示すような形式で記録される。
【００２０】
図２のイベント記録形式は、例えば、イベントの内容を説明するための「項目」、各項目の具体的な内容を表す「値」、コメント自動生成時の「形式」、及びコメント自動生成時に使用する項目を選択する「ＯＦＦ／ＯＮ（オン／オフ）」から構成される。
上記項目は、例えば、「項目名（イベント名）」、「日時」、「場所」、「施設名称」、「コメント」、「関連情報」等よりなる。日時情報は携帯通信装置２００に搭載の内部時計等より取得する。また関連情報の欄には文字情報の他に、画像や音声等も含まれる。
【００２１】
以下、具体的なアクション例を挙げてイベント情報を記録する動作を説明する。
Ａ．電子マネーを使用した場合の動作
電子マネーを使用するケースは、携帯電話網を利用してオンライン決済を行なう場合と、近距離通信デバイスを使用して実際の店舗で決裁を行なう場合の２種類が存在する。
【００２２】
＜オンライン決済の場合＞
１．制御部２１０で決済相手側の認証や情報の暗号化を行い、記憶装置２０８内の電子マネーの情報を、携帯電話網を通じてやり取りしオンライン決済を行なう。
２．次に、購入した商品の情報、及び購入したウェブサイトのＵＲＬ（Uniform Resource Locator）などの情報を、購入した店舗から携帯電話網を通じて受信し、これらの情報と時刻情報などを記憶装置２０８にイベント情報として記録する。
３．そして、記憶装置２０８内とメモリ２０５内のアップロードインジケータプログラムを起動させ、これを示すアイコンを表示部２０７上に表示する。
【００２３】
＜実際の店舗での決済の場合＞
１．制御部２１０で決済相手側の認証や情報の暗号化を行い、記憶装置２０８内の電子マネーの情報を、近距離通信デバイス２３０を通じてやり取りする。
２．次に、購入した商品の情報、及び購入した店舗などの情報を、購入した店舗から近距離通信デバイス２３０を通じて受信し、これらの情報、時刻情報及びエリア情報などを記憶装置２０８にイベント情報として記録する。
３．そして、記憶装置２０８内とメモリ２０５内のアップロードインジケータプログラムを起動させ、これを示すアイコンを表示部２０７上に表示する。
【００２４】
Ｂ．電子定期券、電子切符等を使用して改札を通過した場合の動作
１．制御部２１０で改札側の認証や情報の暗号化を行い、記憶装置２０８内の電子定期券情報や電子切符情報を、近距離通信デバイス２３０を通じてやり取りする。
２．次に、乗降車駅情報を、改札側から近距離通信デバイス２３０を通じて受信し、これらの情報と時刻情報などを記憶装置２０８にイベント情報として記録する（図２参照）。
３．そして、記憶装置２０８内とメモリ２０５内のアップロードインジケータプログラムを起動させ、これを示すアイコンを表示部２０７上に表示する。
【００２５】
図２において、コメント自動生成時に使用する項目を選択する「ＯＮ／ＯＦＦ」のうち、日時と関連情報１の項目がＯＮに設定されているが、予め電子定期券又は電子切符等を使用する場合についていずれの項目をＯＮとするか設定しておく。この「ＯＮ／ＯＦＦ」の設定は、後から設定することもできる。
【００２６】
Ｃ．電子チケットを使用したときの動作
１．制御部２１０で、電子チケット認証ゲート側の認証や情報の暗号化を行い、記憶装置２０８内の電子チケット情報を、近距離通信デバイス２３０を通じてやり取りする。
２．次に、使用した電子チケットに関する情報を、近距離通信デバイス２３０を通じて認証ゲート、又は記憶装置２３０に記憶されている電子チケットから読み取り、これらの情報と時刻情報などを記憶装置２０８にイベント情報として記録する。
３．そして、記憶装置２０８内とメモリ２０５内のアップロードインジケータプログラムを起動させ、これを示すアイコンを表示部２０７上に表示する。
【００２７】
Ｄ．カメラで撮影を行ったときの動作
１．制御部２１０は、携帯通信装置２００の筐体上のシャッターに対応するキーが押下されたという信号を操作部２０６から受信した場合、カメラ２２０で撮影された映像を記憶装置２０８に保存する。
２．次に、制御部２１０は、この時の時刻情報と位置情報を、映像とあわせて記憶装置２０８にイベント情報として記録する（図２参照）。
３．そして、記憶装置２０８内とメモリ２０５内のアップロードインジケータプログラムを起動させ、これを示すアイコンを表示部２０７上に表示する。
【００２８】
この例では「ＯＮ／ＯＦＦ」は、施設名称、コメント、関連情報１の項目がＯＮに設定しているが、上述したように予め設定しておくか、又は後から設定することもできる。
【００２９】
Ｅ．発呼時、着信時及びメール送受信時の動作
１．利用者からの発呼操作や、携帯通信装置２００への着信があった場合、又はメールの送受信があった場合、通話又はメールの相手と、この時の時刻情報と位置情報を記憶装置２０８にイベント情報として記録する。
２．そして、記憶装置２０８内とメモリ２０５内のアップロードインジケータプログラムを起動させ、これを示すアイコンを表示部２０７上に表示する。
【００３０】
上記Ａ〜Ｅ以外にも、何らかのアクションをトリガとして、同様にイベント情報を記録する。イベント情報を記録後に表示されるアップロードインジケータのアイコンを操作部２０６により押下した場合、その場で即座にサーバ５００へのアップロード処理が行われる。一方アップロードインジケータのアイコンを押下しない場合、アップロード処理は行われず、この場合は後述するイベントメニュー画面からアップロード操作を行なうことができる。
【００３１】
続いて、サーバ５００へイベント情報を「アップロード時の動作」を説明する。
図３は、アップロード時の動作を示すフローチャートである。利用者の操作部２０６への入力により、イベントメニューが起動し、記憶装置２０８に記録されたイベント情報のサーバへのアップロード処理が開始される。
【００３２】
次に、ステップＳ１の処理において検索されたイベントが存在するかどうかを判断する(ステップＳ２)。検索されたイベントがしないときはステップＳ１７へ、存在するときはステップＳ３へそれぞれ移行する。
【００３３】
ステップＳ２の判断処理において検索されたイベントが存在しないとき、メモリ２０５及び記憶装置１０８内のアップロードインジケータプログラムを停止し、表示部２０７にイベントの記録がないことをダイアログ表示して、インジケータのアイコンを消去し（ステップＳ１７）、アップロード動作を終了する。
【００３４】
ステップＳ２の判断処理において検索されたイベントが存在するとき、そのイベントを表示部２０７に一覧表示する（ステップＳ３）。
【００３５】
まず、制御部２１０は、記憶装置２０８内に記録されているイベント情報を検索する（ステップＳ１）。
例えば、まず利用者が操作部２０６を操作して図４に示すようなイベントメニュー画面１０を表示させる。このイベントメニュー画面１０において「今日の記録」を選択した状態で決定キーを押下すると、今日の記録に係るイベントを記憶装置２０８から検索してイベント一覧画面２０に今日の記録一覧が表示される。今日の記録一覧の右側に記載されたチェック欄２１は削除候補を示し、数字は削除候補とされた順序を示す。また「ＵＰ済」２２の印が表示されたイベントは、既にサーバ５００へアップロード済みであることを表す。後述もするがアップロード済みであっても、イベント情報が消去されたものについては今日の記録一覧に表示されない。
イベント一覧画面２０にイベントが全く存在しない場合はアップロード処理を終了する。
【００３６】
その後、操作部２０６から終了コマンドを受け付けたか否かを判断し（ステップＳ４）、終了コマンドを受け付けた場合にはアップロード動作を終了する。
【００３７】
ステップＳ４の判断処理において終了コマンドを受け付けていない場合は、利用者の操作を待ち、特定のイベントが選択されたか否かを判断する（ステップＳ５）。このステップＳ５の判断処理において、特定のイベントが選択された場合ステップＳ６へ、選択されていない場合ステップＳ４へ移行する。
【００３８】
ステップＳ５の判断処理において特定イベントが選択されていた場合、利用者によって選択されたイベントについて、記憶装置１０８に保存されている詳細内容を表示部２０７へ表示する（ステップＳ６）。
例えば、図４に示すイベント一覧画面２０において「９：２４電車」のイベントが選択された場合、その詳細がイベント詳細画面３０に表示される。
【００３９】
次に、利用者が操作部２０６を操作してイベント削除操作を行ったか否かを判断し（ステップＳ７）、イベント削除操作がなされた場合、選択されているイベント情報を記憶装置２０８から消去する（ステップＳ１５）。そして、ステップＳ１のイベント検索処理へ戻る。
例えば、図４に示すイベント一覧画面２０において機能キーを押下すると、イベント一覧機能表示４０に遷移し、機能に関するポップアップメニュー４１が表示される。この機能メニューの中から「チェック項目を削除」を選択することにより、チェック欄２１に数字が記入されているイベントが削除される。
【００４０】
上記ステップＳ７においてイベント削除操作が行われなかった場合、続いてイベント編集が選択されたか否かを判断する（ステップＳ８）。すなわち、選択されたイベントを編集するかどうかの選択枝を表示部２０７に表示し、「編集する」が選択された場合ステップＳ９へ、「編集しない」が選択された場合ステップＳ１０へ移行する。
【００４１】
上記ステップＳ８の判断処理において「編集する」が選択された場合、操作部２０６を通して利用者の入力に従って、記憶装置２０８内のイベント情報を編集する（ステップＳ９）。このとき、イベントに関連した画像などを、携帯電話網３００を通してサーバ５００へ追加できるようにしてもよい。
【００４２】
例えば、図５に示すイベント詳細画面３０にて機能キーが押下された場合、イベント詳細機能表示５０に遷移し、ポップアップメニュー５１が表示される。このポップアップメニュー５１上の「内容編集」を選択すると、イベント編集画面６０に遷移する。また、イベント一覧機能表示４０のポップアップメニュー４１内の「内容編集」を選択することでも、イベント編集画面５０へ遷移する。イベント編集画面６０においてＯＮ／ＯＦＦキーは、図２に示したＯＮ／ＯＦＦの設定に使用するものであり、項目を選択した状態で「ＯＮ／ＯＦＦキー」を押下することによりチェックマークが切り替えられる。
【００４３】
また、図６に示すイベント編集画面６０の「形式キー」を押下すると、イベント編集画面コンボボックス表示７０となる。このコンボボックス７１にてテキスト入力又は選択肢から選択してコメント自動生成時の表示態様を所望の形式に編集することができる。一方イベント編集画面６０の画面表示を下方へスクロールすると、イベント編集画面６０ａにコメント欄６１が現れる。このとき「編集キー」を押下するとコメント欄６１へのコメント記入が行える。さらにイベント編集画面６０ａの機能キーを押下するとイベント編集機能表示８０となる。そのイベント編集機能表示８０のポップアップメニュー８１から終了を選択すると、編集内容を保存してイベント編集モードが終了する。
【００４４】
図７は、コメント作成の説明に供する図である。図７に示すイベント編集機能表示８０ａにおいて、機能キーを選択するとポップアップメニュー８１が表示されるので、その中から「コメント自動生成」を選択する。そうするとコメント表示画面９０に遷移し、そのコメント欄６１にコメントが自動生成される。一方イベント編集機能表示８０ａのポップアップメニュー８１にて「コメント編集」を選択した場合、及びイベント編集画面６０ａにて「編集キー」を押下した場合、コメント編集画面１００に遷移してコメントの手動編集が行える。あるいはコメント表示画面９０において「修正キー」を押下することにより、コメント編集画面１００に遷移させ、コメント編集を行なうことができる。
【００４５】
図８は、コメント自動生成の説明に供する図である。図８において、「日時」と「関連情報１」の項目がそれぞれＯＮに設定されており、それぞれの形式は「頃」、「場所名称」とされている。このイベント記録より、ＯＮに設定されている各項目について形式に沿った情報を抽出してコメントを自動生成する。例えば、図８の例では電車の乗降に係るイベントであることを考慮して、「１０時頃、新宿へ行った」というコメントが自動生成される。
このように、形式、ＯＮ／ＯＦＦを選択してコメントを自動生成することができる。
【００４６】
ステップＳ８の判断処理において「編集しない」が選択された場合又は上記ステップＳ９の処理の後、アップロードするか否かの選択枝を表示部２０７へ表示し、アップロードが選択されるかどうかを判断する（ステップＳ１０）。
【００４７】
上記ステップＳ１０の判断処理において「アップロードしない」が選択された場合には、ステップＳ１の処理へ移行する。一方「アップロードする」が選択された場合、プレビュー表示し（ステップＳ１１）、プレビュー編集処理を行なう（ステップＳ１２）。
【００４８】
本例では、例えば図９に示すイベント一覧機能表示４０ａにおいてポップアップメニュー４１から「チェック項目をアップ」を選択した場合に、「アップロードする」を選択したことと同じ扱いとなる。例えば「チェック項目をアップ」を選択すると、アップロード予定確認表示１２０に遷移する。本例では、アップロードするにはプレビューから行なうように構成するため、例えば「アップロード予定に追加しました。アップロードにはプレビューから行って下さい。プレビューしますか？」というようなダイアログ１２１を表示するようにする。この状態においてアップロード予定確認表示１２０の「ＹＥＳキー」を押下した場合、プレビュー画面１３０が表示される。このプレビュー画面１３０は、コメントと併せてバッグ等の写真が掲載されている例である。
あるいは、イベント編集機能表示８０ｂのポップアップメニュー８１の中から「アップロード予定追加」を選択することでも、アップロード予定確認表示１２０に遷移する。
【００４９】
上記ステップＳ１２におけるプレビュー編集処理について説明する。
図１０は、ステップＳ１２のプレビュー編集処理を示すフローチャートである。このプレビュー編集では、例えばレイアウトの変更、表示する項目の順序入れ替え、項目の削除と挿入、背景変更などを行なうことができる。
図１０において、制御部２１０は、利用者が図１１に示すプレビュー画面１３０を見て表示形式の変更又はその他の変更を選択したか否かを判断する（ステップＳ２１）。表示形式又はその他の変更が選択された場合、選択された表示形式又はその他の変更を行なう（ステップＳ２２）。変更が終了した後、変更後のプレビュー画面を表示する（ステップＳ２３）。
【００５０】
例えば、図１１に示すプレビュー画面１３０で修正キーを押下した場合、コメント編集画面１００ａに遷移し、コメント欄６１内に記載されたコメントを修正することができる。一方機能キーを押下した場合、プレビュー機能表示１４０に遷移する。プレビュー機能表示１４０のポップアップメニュー１４１にてレイアウト変更キーを選択すると、レイアウト変更のポップアップメニュー１５１が表示されるレイアウト変更選択表示１５０に遷移する。そして、レイアウト変更メニューから適宜レイアウトを選択することにより、ブログ画面を所望のレイアウトに変更することができる。
【００５１】
レイアウト変更前後のイメージ例を、図１２に示す。図１２において、左図はレイアウト変更前のプレビュー画面１３０である。これに対し、一例として全幅１段表示への変更を選択した場合、同右図のプレビュー画面１３０ａとなり、一段毎にコメントや写真等が掲載される全幅一段表示へと変更される。
本例では、アップロード時にプレビュー編集を行なうことができる。これにより、レイアウト変更、順序入れ替え、項目削除、項目挿入、背景変更など、アップロードするイベント情報の表示形式もしくは属性を、携帯通信装置２００側で編集できるため、ブログが簡単に作成できる。したがって、例えばアップロード後にサーバ５００へアクセスしてブログ編集用モードにて表示形式を変更するなどの手間を省略できる。
【００５２】
続いて、ステップＳ２３の処理後又はステップＳ２１の判断処理にて変更なしであった場合、利用者の機能キーを押下によりアップロード実行するかどうかの選択肢（プレビュー機能表示１４０参照）を表示し、「アップロード実行」が選択されたかどうかを判断する（ステップＳ２４）。ここで、「アップロード実行」が選択された場合ステップＳ１３へ移行し、「アップロード実行」が選択されなかった場合ステップＳ２１へ移行する。
【００５３】
図３のアップロード時のフローチャートについての説明に戻る。ステップＳ１２のプレビュー編集後、事前に利用者が設定して記憶装置２０８内に記憶しているアップロードＵＲＬ（サーバ５００のＵＲＬ）へ接続し、イベント情報のアップロードを実行する（ステップＳ１３）。
【００５４】
そして、上記アップロード処理が完了したか否かを判断する（ステップＳ１４）。ここで、アップロードが完了した場合、アップロードが完了した旨を表示部２０７に表示し、ステップＳ１５へ移行し、アップロードが完了したイベント情報を削除する。これは、記憶装置２０８の資源を効率よく使用するためである。記録残容量に余裕があればステップＳ１５のイベント削除処理を省略し、直接ステップＳ１に移行するようにしてもよい。
一方、アップロードが完了しない場合はアップロードが完了しない旨をダイアログ表示し（ステップＳ１６）、ステップＳ１へ移行する。
【００５５】
図１３は、イベントメニュー画面１０ａからプレビュー画面１３０又はブログ画面１７０へ遷移するための操作例を示したものである。本例では、図１３に示すイベントメニュー画面１０ａにおいて、「ブログメニューへ」を選択した状態で決定キーを押下すると、ブログメニュー画面１６０が表示される。そして、ブログメニュー画面１６０のブログメニューにおいて、「プレビュー」を選択した場合プレビュー画面１３０が表示され、「ブログページへ」を選択した場合にはブログ画面１７０が表示される。
【００５６】
図１４は、ブログ表示イメージの一例を示したものである。図１４左に示すブログ画面１７０は、携帯通信装置２００におけるブログページの表示イメージ例である。また図１４右に示すブログ画面１７０ａは、パーソナルコンピュータ（ＰＣ）と接続される比較的大きい画面の表示装置によるイメージ例である。ＰＣからもサーバ５００へアクセスして、本例の携帯端末装置２００で作成されたブログの内容を閲覧することができる。
【００５７】
図１５は、図４〜図９、及び図１１〜図１４の画面遷移をまとめて全体像を示したものである。
【００５８】
以上述べた構成によれば、利用者の一日の行動内容を自動的にイベント情報の形で記録することにより、その日の出来事や行動を容易に思い出すことができる。また、携帯通信装置側でイベント情報を簡単に選択・編集できることにより、日記的ウェブサイトであるブログを簡単に作成することができる。
【００５９】
なお、上述実施の形態例においては、携帯通信装置として携帯電話端末の他、ＰＤＡ（Personal Digital Assistant）、通信機能付きゲーム機などが適用でき、通信機能及びＧＰＳ機能に加え、カメラ又は電子財布機能などの付加機能を備えた携帯通信装置に適用して好適である。
【００６０】
また、本発明は、上述した各実施の形態例に限定されるものではなく、その他本発明の要旨を逸脱しない範囲において、種々の変形、変更が可能であることは勿論である。
【図面の簡単な説明】
【００６１】
【図１】本発明による携帯通信装置の一実施の形態例に係るブロック構成を示す図である。
【図２】本発明の一実施の形態例に係るイベント記録形式を示す図である。
【図３】本発明の一実施の形態例に係るイベント情報アップロード時のフローチャートである。
【図４】本発明の一実施の形態例に係る画面遷移例（１）を示す図である。
【図５】本発明の一実施の形態例に係る画面遷移例（２）を示す図である。
【図６】本発明の一実施の形態例に係る画面遷移例（３）を示す図である。
【図７】本発明の一実施の形態例に係る画面遷移例（４）を示す図である。
【図８】本発明の一実施の形態例に係るコメント自動生成の説明図である。
【図９】本発明の一実施の形態例に係る画面遷移例（５）を示す図である。
【図１０】本発明の一実施の形態例に係るプレビュー編集のフローチャートである。
【図１１】本発明の一実施の形態例に係る画面遷移例（６）を示す図である。
【図１２】本発明の一実施の形態例に係るレイアウト変更の説明図である。
【図１３】本発明の一実施の形態例に係る画面遷移例（７）を示す図である。
【図１４】本発明の一実施の形態例に係るブログページ表示のイメージを示す図である。
【図１５】本発明の一実施の形態例に係る画面遷移の全体像を示す図である。
【符号の説明】
【００６２】
２０…イベント一覧画面、８０ａ…イベント編集機能表示、９０…コメント表示画面、２００…携帯通信装置、２２０…カメラ、２３０…近距離通信デバイス、２４０…ＧＰＳ受信部、２４１…ＧＰＳアンテナ、５００…サーバ
【図１】
2006301884.tif 000003
【図２】
2006301884.tif 000004
【図３】
2006301884.tif 000005
【図４】
2006301884.tif 000006
【図５】
2006301884.tif 000007
【図６】
2006301884.tif 000008
【図７】
2006301884.tif 000009
【図８】
2006301884.tif 000010
【図９】
2006301884.tif 000011
【図１０】
2006301884.tif 000012
【図１１】
2006301884.tif 000013
【図１２】
2006301884.tif 000014
【図１３】
2006301884.tif 000015
【図１４】
2006301884.tif 000016
【図１５】
2006301884.tif 000017